(57)【特許請求の範囲】
【請求項１】
箱と、その箱に収容される飾り物とを備え、
前記箱は、箱本体と、その箱本体の開口を覆う蓋とを備え、
前記箱本体は、底板と、その底板の周縁から立ち上がる側板とを備え、
前記底板には、その裏面に開口する飾り物取付穴が設けられ、
前記飾り物は、飾り物本体と、その飾り物本体から突出して前記飾り物取付穴に嵌まる取付突部とを有し、
前記底板の裏面を上にするように前記箱本体を裏返して、前記飾り物取付穴に前記飾り物の取付突部を挿入することで、前記飾り物が、裏返されて台座となった前記箱本体の底板上にて、前記飾り物取付穴の位置に位置決めされる、飾り物収容箱。
【請求項２】
前記飾り物は、複数設けられ、前記飾り物取付穴は、複数の前記飾り物に対応して設けられる、請求項１に記載の飾り物収容箱。
【請求項３】
前記飾り物は、板状に形成されて、前記飾り物の取付突部は、前記飾り物本体の側面から突出するように形成される、請求項１または２に記載の飾り物収容箱。
【請求項４】
前記箱に収容される保持板を備え、
前記保持板は、前記飾り物の外形輪郭形状に合わせて貫通形成されてその飾り物が嵌まる飾り物保持穴を有し、前記飾り物は、前記飾り物保持穴に嵌められて、前記保持板とともに前記箱に収容されるようになっている、請求項３に記載の飾り物収容箱。
【請求項５】
前記飾り物の厚さは、前記保持板の厚さよりも厚く形成される、請求項４に記載の飾り物収容箱。
【請求項６】
前記箱に収容される、箸とその箸を置く置き台とを備え、
前記底板には、その裏面に開口する置き台取付穴が設けられ、
前記置き台は、置き台本体と、その置き台本体から突出して前記置き台取付穴に嵌まる取付突部とを有し、また、
前記置き台は、板状に形成されて、前記置き台の取付突部は、前記置き台本体の側面から突出するように形成され、
前記底板の裏面を上にするように前記箱本体を裏返して、前記置き台取付穴に前記置き台の取付突部を挿入することで、前記置き台が、裏返されて台座となった前記箱本体の底板上にて、前記置き台取付穴の位置に位置決めされ、かつ、
前記保持板は、前記置き台の外形輪郭形状に合わせて貫通形成されてその置き台が嵌まる置き台保持穴と、貫通形成されて前記箸が納められる箸納め穴とを有し、前記置き台は、前記置き台保持穴に嵌められて、また、前記箸は、前記箸納め穴に納められて、それぞれ前記保持板とともに前記箱に収容されるようになっている、請求項４または５に記載の飾り物収容箱。
【請求項７】
前記置き台の厚さは、前記保持板の厚さよりも厚く形成される、請求項６に記載の飾り物収容箱。
【請求項８】
前記蓋は、天板と、その天板の周縁から垂れ下がる側板とを備え、
前記天板のおもて面には、装飾が施されており、
前記蓋は、その蓋の側板における一側を下にして起立可能である、請求項１ないし７のいずれか１項に記載の飾り物収容箱。
【発明の詳細な説明】
【技術分野】
【０００１】
この発明は、飾り物を収容した飾り物収容箱に関するものである。
【背景技術】
【０００２】
従来、飾り物を箱から取り出して飾る場合、その飾り物を、用意した台座に載せて飾ることがあった。
【発明の概要】
【発明が解決しようとする課題】
【０００３】
しかし、前記従来のように、箱から取り出した飾り物を台座に載せて飾る場合、その台座を別途用意する必要があり、面倒であった。
【０００４】
この発明は、上記した従来の欠点を解決するためになされたものであり、その目的とするところは、飾り物を載せる台座を別途用意する必要がない、飾り物収容箱を提供することにある。
【課題を解決するための手段】
【０００５】
この発明に係る飾り物収容箱は、前記目的を達成するために、次の構成からなる。すなわち、
請求項１に記載の発明に係る飾り物収容箱は、箱と、その箱に収容される飾り物とを備える。前記箱は、箱本体と、その箱本体の開口を覆う蓋とを備える。そして、前記箱本体は、底板と、その底板の周縁から立ち上がる側板とを備える。ここで、前記底板には、その裏面に開口する飾り物取付穴が設けられている。そして、前記飾り物は、飾り物本体と、その飾り物本体から突出して前記飾り物取付穴に嵌まる取付突部とを有する。そこで、前記底板の裏面を上にするように前記箱本体を裏返して、前記飾り物取付穴に前記飾り物の取付突部を挿入することで、前記飾り物が、裏返されて台座となった前記箱本体の底板上にて、前記飾り物取付穴の位置に位置決めされる。
【０００６】
この飾り物収容箱によると、飾り物を収容していた箱の箱本体を裏返すことで、その箱本体を飾り物の台座として用いることができる。そして、箱本体の底板には、その裏面に開口する飾り物取付穴が設けられており、その飾り物取付穴に、飾り物の取付突部を挿入することで、飾り物は、裏返されて台座となった箱本体の底板上にて、飾り物取付穴の位置に位置決めされる。
【０００７】
また、請求項２に記載の発明に係る飾り物収容箱は、請求項１に記載の飾り物収容箱において、前記飾り物は、複数設けられ、前記飾り物取付穴は、複数の前記飾り物に対応して設けられる。飾り物が複数設けられた場合にも、それら飾り物は、裏返されて台座となった箱本体の底板上にて、対応する飾り物取付穴の位置に位置決めされて、それら飾り物の互いの位置関係も保たれる。
【０００８】
また、請求項３に記載の発明に係る飾り物収容箱は、請求項１または２に記載の飾り物収容箱において、前記飾り物は、板状に形成されて、前記飾り物の取付突部は、前記飾り物本体の側面から突出するように形成される。
【０００９】
また、請求項４に記載の発明に係る飾り物収容箱は、請求項３に記載の飾り物収容箱において、前記箱に収容される保持板を備える。この保持板は、前記飾り物の外形輪郭形状に合わせて貫通形成されてその飾り物が嵌まる飾り物保持穴を有し、前記飾り物は、前記飾り物保持穴に嵌められて、前記保持板とともに前記箱に収容されるようになっている。
【００１０】
また、請求項５に記載の発明に係る飾り物収容箱は、請求項４に記載の飾り物収容箱において、前記飾り物の厚さは、前記保持板の厚さよりも厚く形成される。これにより、保持板からの飾り物の取り出しが容易となる。
【００１１】
また、請求項６に記載の発明に係る飾り物収容箱は、請求項４または５に記載の飾り物収容箱において、前記箱に収容される、箸とその箸を置く置き台とを備える。ここで、前記底板には、その裏面に開口する置き台取付穴が設けられている。そして、前記置き台は、置き台本体と、その置き台本体から突出して前記置き台取付穴に嵌まる取付突部とを有する。また、前記置き台は、板状に形成されて、前記置き台の取付突部は、前記置き台本体の側面から突出するように形成される。そこで、前記底板の裏面を上にするように前記箱本体を裏返して、前記置き台取付穴に前記置き台の取付突部を挿入することで、前記置き台が、裏返されて台座となった前記箱本体の底板上にて、前記置き台取付穴の位置に位置決めされる。また、前記保持板は、前記置き台の外形輪郭形状に合わせて貫通形成されてその置き台が嵌まる置き台保持穴と、貫通形成されて前記箸が納められる箸納め穴とを有し、前記置き台は、前記置き台保持穴に嵌められて、また、前記箸は、前記箸納め穴に納められて、それぞれ前記保持板とともに前記箱に収容されるようになっている。
【００１２】
この飾り物収容箱においては、箱に箸や置き台が収容され、箱本体の底板には、その裏面に開口する置き台取付穴が、飾り物取付穴に加えて設けられており、その置き台取付穴に、置き台の取付突部を挿入することで、置き台は、裏返されて台座となった箱本体の底板上にて、置き台取付穴の位置に位置決めされる。そして、その位置決めされた置き台に、箸が置かれる。
【００１３】
また、請求項７に記載の発明に係る飾り物収容箱は、請求項６に記載の飾り物収容箱において、前記置き台の厚さは、前記保持板の厚さよりも厚く形成される。これにより、保持板からの置き台の取り出しが容易となる。
【００１４】
また、請求項８に記載の発明に係る飾り物収容箱は、請求項１ないし７のいずれか１項に記載の飾り物収容箱において、前記蓋は、天板と、その天板の周縁から垂れ下がる側板とを備える。ここで、前記天板のおもて面には、装飾が施されている。そして、前記蓋は、その蓋の側板における一側を下にして起立可能である。
【発明の効果】
【００１５】
この発明に係る飾り物収容箱によれば、箱本体を台座として用いることで、飾り物を載せる台座を別途用意する必要がない。
【図面の簡単な説明】
【００１６】
【図１】この発明の一実施の形態の、飾り物収容箱の平面図である。
【図２】同じく、Ａ−Ａ線による断面図である。
【図３】同じく、Ｂ−Ｂ線による断面図である。
【図４】同じく、蓋を開けた状態の平面図である。
【図５】同じく、保持板の平面図である。
【図６】同じく、Ｃ−Ｃ線による断面図である。
【図７】同じく、Ｄ−Ｄ線による断面図である。
【図８】同じく、箱本体の平面図である。
【図９】同じく、箱本体の底面図である。
【図１０】同じく、Ｅ−Ｅ線による断面図である。
【図１１】同じく、Ｆ−Ｆ線による断面図である。
【図１２】同じく、飾り物を飾った斜視図である。
【図１３】同じく、飾り物を飾った平面図である。
【図１４】同じく、Ｇ−Ｇ線による、切断面の奥方の飾り物、蓋等を省略した断面図である。
【図１５】同じく、Ｈ−Ｈ線による、切断面の奥方の飾り物、蓋等を省略した断面図である。
【発明を実施するための形態】
【００１７】
以下、この発明に係る飾り物収容箱を実施するための形態を図面に基づいて説明する。
【００１８】
図１〜図１５は、本発明の一実施の形態を示す。図中符号１は、飾り物収容箱を示す。
【００１９】
この飾り物収容箱１は、箱２と、その箱２に収容される飾り物３とを備える。ここで、箱２は、箱本体４と、その箱本体４の開口を覆う蓋５とを備える。箱本体４は、底板４ａと、その底板４ａの周縁から立ち上がる側板４ｂとを備える。そして、底板４ａには、その裏面４ｃに開口する飾り物取付穴４ｄが設けられている。蓋５は、天板５ａと、その天板５ａの周縁から垂れ下がる側板５ｂとを備えて、その側板５ｂにおける一側を下にして起立可能となっている。そして、天板５ａのおもて面５ｃには、絵柄、模様とか文字等の装飾５ｄが、プリントとか打ち抜きあるいはくり抜き等の任意の手法（図示実施の形態では、プリント）で施される。必要によっては、装飾５とともに、あるいは装飾５に代えて、説明書きなどの文章を表示するようにしてもよい。
【００２０】
飾り物３は、飾り物本体３ａと、その飾り物本体３ａから突出して箱本体４（詳しくは、底板４ａ）の飾り物取付穴４ｄに嵌まる取付突部３ｂとを有する。そこで、底板４ａの裏面４ｃを上にするように箱本体４を裏返して、飾り物取付穴４ｄに飾り物３の取付突部３ｂを挿入することで、飾り物３が、裏返されて台座となった箱本体４の底板４ａ上にて、飾り物取付穴４ｄの位置に位置決めされる。
【００２１】
また、飾り物収容箱１は、箱２に収容される、箸６とその箸６が置かれる置き台７とを備える。そして、この置き台７に対応して、箱本体４の底板４ａには、その裏面４ｃに開口する置き台取付穴４ｅが設けられている。置き台７は、置き台本体７ａと、その置き台本体７ａから突出して箱本体４（詳しくは、底板４ａ）の置き台取付穴４ｅに嵌まる取付突部７ｂとを有する。そこで、底板４ａの裏面４ｃを上にするように箱本体４を裏返して、置き台取付穴４ｅに置き台７の取付突部７ｂを挿入することで、置き台７が、裏返されて台座となった箱本体４の底板４ａ上にて、置き台取付穴４ｅの位置に位置決めされる。
【００２２】
詳細には、飾り物３は、板状に形成されて、飾り物３の取付突部３ｂは、飾り物本体３ａの側面から突出するように形成される。図示実施の形態においては、飾り物３は、複数設けられ、飾り物取付穴４ｄは、複数の飾り物３、３に対応して設けられている。置き台７は、飾り物３と同様に、板状に形成されて、置き台７の取付突部７ｂは、置き台本体７ａの側面から突出するように形成される。より詳細には、飾り物３の厚さは、後述する保持板８の厚さよりも厚く形成されている。同様に、置き台７の厚さは、後述する保持板８の厚さよりも厚く形成されている。
【００２３】
また、飾り物収容箱１は、箱２に収容される保持板８を備えている。この保持板８は、飾り物保持穴８ａを有しており、その飾り物保持穴８ａは、飾り物３の外形輪郭形状に合わせて貫通形成されてその飾り物３が嵌まる穴となっている。また、保持板８は、置き台保持穴８ｂと、箸納め穴８ｃとを有している。置き台保持穴８ｂは、置き台７の外形輪郭形状に合わせて貫通形成されてその置き台７が嵌まる穴となっている。そして、箸納め穴８ｃは、貫通形成されて箸６が納められる、長穴状の穴となっている。
【００２４】
具体的には、箱２は、例えば、桐箱等の木の箱であり、その形状は、平面視が長方形であって高さの低い扁平な直方体形状をしている。箱本体４は、その底板４ａが、長方形の板からなり、側板４ｂが、底板４ａの四辺から立ち上がって形成されている。そして、底板４ａに設けられた飾り物取付穴４ｄと置き台取付穴４ｅとは、図示実施の形態においては、底板４ａを貫通して、その裏面に開口するように形成される。
【００２５】
蓋５は、その天板５ａが、長方形の板からなり、側板５ｂが、天板５ａの四辺から若干垂れ下がって形成されて、この蓋５を箱本体４に被せたとき、蓋５の側板５ｂが、箱本体４の側板４ｂの外側に重なるように位置する。そして、天板５ａのおもて面５ｃに、装飾５ｄとして、花びらの絵柄が施されている。
【００２６】
飾り物３は、例えば、木の板からなる。この飾り物３は、前述したように複数設けられ、図示実施の形態においては、それら飾り物３、３は、雛人形セットを構成する飾り物からなる。つまり、飾り物収容箱１は、飾り物３として、内裏雛、三人官女、その他の飾り物を備えている。
【００２７】
置き台７は、例えば、木の板からなる。この置き台７は、図示実施の形態においては、二つ設けられ、それら置き台７、７に、箸６が架け渡されるように置かれる。詳細には、置き台７（詳しくは、置き台本体７ａ）は、その上面に窪み７ｃを有し、その窪み７ｃに箸６が置かれる。ところで、図示実施の形態においては、飾り物３、３と置き台７、７とは、全て同一の厚さであって、これら飾り物３、３と置き台７、７とは、一枚の板、あるいは同じ厚さの別々の板を、例えばレーザー加工によりカットすることで製造することができる。
【００２８】
保持板８は、例えば、桐等の木の板からなり、この保持板８に、飾り物保持穴８ａ、８ａと、置き台保持穴８ｂ、８ｂと、箸納め穴８ｃとが設けられている。そして、この保持板８においても、板に対し、飾り物保持穴８ａ、８ａとか、置き台保持穴８ｂ、８ｂとか、箸納め穴８ｃを、例えばレーザー加工によりくり抜くことで製造することができる（底板４ａの取付穴４ｄ、４ｅも同様）。
【００２９】
次に、以上の構成からなる飾り物収容箱１の作用効果について説明する。この飾り物収容箱１によると、飾り物３を収容していた箱２の箱本体４を裏返すことで、その箱本体４を飾り物３の台座として用いることができる。そして、箱本体４の底板４ａには、その裏面４ｃに開口する飾り物取付穴４ｄが設けられており、その飾り物取付穴４ｄに、飾り物３の取付突部３ｂを挿入することで、飾り物３は、裏返されて台座となった箱本体４の底板４ａ上にて、飾り物取付穴４ｄの位置に位置決めされる（図１２〜図１５参照）。すなわち、この飾り物収容箱１によれば、箱本体４を台座として用いることで、飾り物３を載せる台座を別途用意する必要がない。
【００３０】
また、飾り物３は、複数設けられて、それら飾り物３、３は、裏返されて台座となった箱本体４の底板４ａ上にて、対応する飾り物取付穴４ｄ、４ｄの位置に位置決めされて、それら飾り物３、３の互いの位置関係も保たれる。
【００３１】
また、この飾り物収容箱１においては、箱２に箸６や置き台７が収容され、箱本体４の底板４ａには、その裏面４ｃに開口する置き台取付穴４ｅが、飾り物取付穴４ｄに加えて設けられている。このため、その置き台取付穴４ｅに、置き台７の取付突部７ｂを挿入することで、置き台７は、裏返されて台座となった箱本体４の底板４ａ上にて、置き台取付穴４ｅの位置に位置決めされる（図１２、図１３、図１５参照）。そして、その位置決めされた置き台７、７に、箸６が架け渡されるように置かれる。こうして、この飾り物収容箱１によれば、箱本体４を台座として用いることで、飾り物３に加えて、箸６を飾る台座を別途用意する必要がない。
【００３２】
また、飾り物収容箱１は、箱２に収容される保持板８を備えており、その保持板８は、飾り物保持穴８ａと置き台保持穴８ｂと箸納め穴８ｃとを有し、飾り物３は、飾り物保持孔８ａに嵌められて、また、置き台７は、置き台保持孔８ｂに嵌められて、そして、箸６は、箸納め穴８ｃに納められて、それぞれ保持板８とともに箱２に収容されるようになっている。このように、箱２に、飾り物３や置き台７や箸６を収容するにあたって、保持板８の飾り物保持穴８ａに飾り物３を嵌め、置き台保持穴８ｂに置き台７を嵌め、箸納め穴８ｃに箸６を納めることで、箱２内で飾り物３や置き台７や箸６がずれたり、ずれて破損したりするのを防ぐことができる。
【００３３】
また、飾り物３の厚さは、前記保持板８の厚さよりも厚く形成されており、保持板８からの飾り物３の取り出しが容易となる。同様に、置き台７の厚さは、前記保持板８の厚さよりも厚く形成されており、保持板８からの置き台７の取り出しが容易となる。
【００３４】
また、蓋５を、その蓋５の側板５ｂにおける一側（図示実施の形態においては、天板５ａの一方の長辺側にある側板５ｂ）を下にして起立させることで、飾り物３とか箸６に加えて、装飾５ｄが施された天板５ａを飾ることができる。
【００３５】
なお、本発明は、上述した実施の形態に限定されるわけではなく、その他種々の変更が可能である。例えば、飾り物３は、板状に形成されなくても、立体的（三次元的）に形成されてもよい。  また、飾り物３は、雛人形に限らず、どのような飾り物でもよい。
【００３６】
また、飾り物３は、取付突部３ｂを有するが、この取付突部３ｂは、一つでなくても、二つ以上あってもよい。また、二つあるいは三つ以上の飾り物３、３を連結して、一つの飾り物３とし、その飾り物３に、一つあるいは二つ以上の取付突部３ｂを設けてもよい。
【００３７】
また、飾り物３は、木の板からなるが、合成樹脂等、その他の材料からなっていてもよい。また、飾り物３は、複数設けられているが、一つのみであってもよい。
【００３８】
また、箱２は、木の箱でなくても、合成樹脂等、その他の材料からなる箱であってもよい。また、箱２の形状は、直方体形状に限るものではなく、例えば、平面視が、台形であったり、円弧を含む形状であったりしてもよい。
【００３９】
また、箱本体４の底板４ａに設けられた飾り物取付穴４ｄとか置き台取付穴４ｅは、底板４ａを貫通する貫通状の穴となっているが、貫通することなく底を有した有底状の穴であってもよい。
【００４０】
また、蓋５は、その天板５ａのおもて面５ｃに、装飾５ｄが施されているが、この装飾５ｄは、無くてもよい。
【００４１】
また、箸納め穴８ｃは、箸６の外形輪郭形状に合わせて貫通形成されたものであってもよい。
【００４２】
また、置き台７は、二つ設けられて、それら置き台７、７に箸６が架け渡されるが、置き台７を一つにして、その置き台７に箸６が載せられたり、その置き台７と底板４ａとに箸６が渡されてもよい。また、置き台７は、取付突部７ｂを有するが、この取付突部７ｂは、一つでなくても、二つ以上あってもよい。
【００４３】
また、箸６を直接、裏返された箱本体４の底板４ａに載せることで、置き台７を無しにしてもよい。また、これら箸６と置き台７との両方を無しにしてもよい。
【００４４】
また、この飾り物収容箱１は、保持板８を備えるが、この保持板８は、無くてもよい。
【符号の説明】
【００４５】
１  飾り物収容箱
２  箱
３  飾り物
３ａ  飾り物本体
３ｂ  取付突部
４  箱本体
４ａ  底板
４ｂ  側板
４ｃ  裏面
４ｄ  飾り物取付穴
４ｅ  置き台取付穴
５  蓋
５ａ  天板
５ｂ  側板
５ｃ  おもて面
５ｄ  装飾
６  箸
７  置き台
７ａ  置き台本体
７ｂ  取付突部
８  保持板
８ａ  飾り物保持穴
８ｂ  置き台保持穴
８ｃ  箸納め穴
【要約】
【課題】  飾り物を載せる台座を別途用意する必要がない、飾り物収容箱を提供する。
【解決手段】  飾り物収容箱１は、箱２と、その箱２に収容される飾り物３とを備える。箱２は、箱本体４と蓋５とを備える。箱本体４の底板４ａには、その裏面４ｃに開口する飾り物取付穴４ｄが設けられている。飾り物３は、飾り物本体３ａと、その飾り物本体３ａから突出して飾り物取付穴４ｄに嵌まる取付突部３ｂとを有する。そこで、底板４ａの裏面４ｃを上にするように箱本体４を裏返して、飾り物取付穴４ｄに飾り物３の取付突部３ｂを挿入することで、飾り物３が、裏返されて台座となった箱本体４の底板４ａ上にて、飾り物取付穴４ｄの位置に位置決めされる。
【選択図】  図１４【図１】
0006831131.tif 000002
【図２】
0006831131.tif 000003
【図３】
0006831131.tif 000004
【図４】
0006831131.tif 000005
【図５】
0006831131.tif 000006
【図６】
0006831131.tif 000007
【図７】
0006831131.tif 000008
【図８】
0006831131.tif 000009
【図９】
0006831131.tif 000010
【図１０】
0006831131.tif 000011
【図１１】
0006831131.tif 000012
【図１２】
0006831131.tif 000013
【図１３】
0006831131.tif 000014
【図１４】
0006831131.tif 000015
【図１５】
0006831131.tif 000016